【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
表示手段と、
前記表示手段に表示している全体画像の拡大表示が指示されたか否かを判断する第１の判断手段と、
前記第１の判断手段によって指示されたと判断した場合に、前記全体画像から一部を拡大した拡大画像を前記表示手段における所定の領域に表示するとともに、前記全体画像を前記表示手段における前記拡大画像が表示されている領域以外の領域に表示する表示制御手段と、
を備えたことを特徴とする画像表示装置。
【請求項２】
前記表示制御手段は、前記表示手段に表示された全体画像上に前記拡大画像として拡大された領域を示す表示を更に行うことを特徴とする請求項１記載の画像表示装置。
【請求項３】
前記全体画像から拡大表示させる領域を指定する指定手段を更に備えたことを特徴とする請求項１又は２記載の画像表示装置。
【請求項４】
前記全体画像から拡大表示させる領域を指定する指定手段を更に備えたことを特徴とする請求項１〜３の何れかに記載の画像表示装置。
【請求項５】
前記表示手段に表示する前記全体画像から縮小画像を生成する生成手段を更に備え、
前記全体画像は前記生成手段によって生成された縮小画像であり、前記拡大画像は前記生成手段によって生成された縮小画像の一部を拡大した画像であることを特徴とする請求項１〜４の何れかに記載の画像表示装置。
【請求項６】
前記拡大画像として拡大される倍率が所定値以上か否かを判断する第２の判断手段を備え、
前記表示制御手段は、前記第２の判断手段による判断結果に応じて、前記拡大画像として表示する画像を、前記縮小画像の一部を拡大した画像と前記全体画像の一部を拡大した画像とで切替えることを特徴とする請求項５記載の画像表示装置。
【請求項７】
画像を撮像する撮像手段を更に備え、
前記全体画像は前記撮像手段によって撮像された画像であり、
前記第１の判断手段は、電子ズームによる拡大指示がされたか否かを判断することを特徴とする請求項１〜６の何れかに記載の画像表示装置。
【請求項８】
表示部に画像を表示する画像表示方法であって、
表示している全体画像の拡大表示が指示されたか否かを判断するステップと、
このステップによって指示されたと判断した場合に、前記全体画像から一部を拡大した拡大画像を前記表示部の所定の領域に表示するとともに、前記全体画像を前記表示部の前記拡大画像が表示されている領域以外の領域に表示する表示ステップと
を備えたことを特徴とする画像表示方法。
【請求項９】
表示部に画像を表示する画像表示装置が備えるコンピュータに、
前記表示部に表示している全体画像の拡大表示が指示されたか否かを判断する判断手段、
前記判断手段によって指示されたと判断した場合に、前記全体画像から一部を拡大した拡大画像を前記表示部における所定の領域に表示するとともに、前記全体画像を前記表示部における前記拡大画像が表示されている領域以外の領域に表示する表示制御手段
としての機能を実行させることを特徴とするプログラム。
【手続補正２】
【補正対象書類名】明細書
【補正対象項目名】発明の名称
【補正方法】変更
【補正の内容】
【発明の名称】画像表示装置、画像表示方法及びプログラム
【手続補正３】
【補正対象書類名】明細書
【補正対象項目名】０００１
【補正方法】変更
【補正の内容】
【０００１】
本発明は、特にデジタルカメラ、カメラ付き携帯電話などの撮像装置自体やそれに用いて好適な表示装置に関し、特に、横長液晶などのワイド画面を備えた画像表示装置、画像表示方法及びそのプログラムに関する。
【手続補正４】
【補正対象書類名】明細書
【補正対象項目名】００１０
【補正方法】変更
【補正の内容】
【００１０】
この発明は上記事情に鑑みて成されたもので、画面の表示領域を有効に活用した画像表示装置、画像表示方法及びそのプログラムに関する。
【手続補正５】
【補正対象書類名】明細書
【補正対象項目名】００１１
【補正方法】変更
【補正の内容】
【００１１】
上記課題を解決するため、請求項１記載の発明は、表示手段と、前記表示手段に表示している全体画像の拡大表示が指示されたか否かを判断する第１の判断手段と、前記第１の判断手段によって指示されたと判断した場合に、前記全体画像から一部を拡大した拡大画像を前記表示手段における所定の領域に表示するとともに、前記全体画像を前記表示手段における前記拡大画像が表示されている領域以外の領域に表示する表示制御手段とを備えることを特徴とする画像表示装置とした。
【手続補正６】
【補正対象書類名】明細書
【補正対象項目名】００１２
【補正方法】変更
【補正の内容】
【００１２】
請求項２記載の発明は、前記表示制御手段は、前記表示手段に表示された全体画像上に前記拡大画像として拡大された領域を示す表示を更に行うことを特徴とする請求項１に記載の画像表示装置とした。
【手続補正７】
【補正対象書類名】明細書
【補正対象項目名】００１３
【補正方法】変更
【補正の内容】
【００１３】
請求項３記載の発明は、前記全体画像から拡大表示させる領域を指定する指定手段を更に備えたことを特徴とする請求項１又は２に記載の画像表示装置とした。
【手続補正８】
【補正対象書類名】明細書
【補正対象項目名】００１４
【補正方法】変更
【補正の内容】
【００１４】
請求項４記載の発明は、前記全体画像から拡大表示させる領域を指定する指定手段を更に備えたことを特徴とする請求項１〜３の内何れか１項に記載の画像表示装置とした。
【手続補正９】
【補正対象書類名】明細書
【補正対象項目名】００１５
【補正方法】変更
【補正の内容】
【００１５】
請求項５記載の発明は、前記表示手段に表示する前記全体画像から縮小画像を生成する生成手段を更に備え、前記全体画像は前記生成手段によって生成された縮小画像であり、前記拡大画像は前記生成手段によって生成された縮小画像の一部を拡大した画像であることを特徴とする請求項１〜４の何れか１項に記載の画像表示装置とした。
【手続補正１０】
【補正対象書類名】明細書
【補正対象項目名】００１６
【補正方法】変更
【補正の内容】
【００１６】
請求項６記載の発明は、前記拡大画像として拡大される倍率が所定値以上か否かを判断する第２の判断手段を備え、前記表示制御手段は、前記第２の判断手段による判断結果に応じて、前記拡大画像として表示する画像を、前記縮小画像の一部を拡大した画像と前記全体画像の一部を拡大した画像とで切替えることを特徴とする請求項５に記載の画像表示装置とした。
【手続補正１１】
【補正対象書類名】明細書
【補正対象項目名】００１７
【補正方法】変更
【補正の内容】
【００１７】
請求項７記載の発明は、画像を撮像する撮像手段を更に備え、前記全体画像は前記撮像手段によって撮像された画像であり、前記第１の判断手段は、電子ズームによる拡大指示がされたか否かを判断することを特徴とする請求項１〜６の何れか１項に記載の画像表示装置とした。
【手続補正１２】
【補正対象書類名】明細書
【補正対象項目名】００１８
【補正方法】変更
【補正の内容】
【００１８】
請求項８記載の発明は、表示部に画像を表示する画像表示方法であって、表示している全体画像の拡大表示が指示されたか否かを判断するステップと、このステップによって指示されたと判断した場合に、前記全体画像から一部を拡大した拡大画像を前記表示部の所定の領域に表示するとともに、前記全体画像を前記表示部の前記拡大画像が表示されている領域以外の領域に表示する表示ステップとを備えたことを特徴とする画像表示方法とした。
【手続補正１３】
【補正対象書類名】明細書
【補正対象項目名】００１９
【補正方法】変更
【補正の内容】
【００１９】
請求項９記載の発明は、表示部に画像を表示する画像表示装置が備えるコンピュータに、前記表示部に表示している全体画像の拡大表示が指示されたか否かを判断する判断手段、前記判断手段によって指示されたと判断した場合に、前記全体画像から一部を拡大した拡大画像を前記表示部における所定の領域に表示するとともに、前記全体画像を前記表示部における前記拡大画像が表示されている領域以外の領域に表示する表示制御手段としての機能を実行させることを特徴とするプログラムとした。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】変更
【補正の内容】
【００２４】
本発明によれば、撮影時に、画面の領域を有効に活用することによって、拡大画像と共に全体画像を確認しながら電子ズームできる。